(57)【要約】【課題】主走査方向および副走査方向に対して略同一の鮮鋭度を有する良好な画像情報を得ることを目的とする。【解決手段】蓄積性蛍光体シートＩＰをラインセンサ４８ａ〜４８ｃで読み取って得られた放射線画像情報を、シェーディング補正部８２でシェーディング補正した後、記録条件または読取条件に従い空間フィルタ選択部９８によって空間フィルタ記憶部９６から選択された空間フィルタを用いて、鮮鋭度補正部８６において主走査方向および副走査方向に独立に鮮鋭度補正処理の行われた放射線画像情報を作成する。【選択図】図２
2004007458.tif 000002
【特許請求の範囲】
【請求項１】
主走査方向に複数の光電変換部が配列されてなるセンサを、記録媒体に対して前記主走査方向と略直交する副走査方向に相対的に移動させ、前記記録媒体に記録された画像情報を前記光電変換部により２次元的に読み取る画像読取装置における鮮鋭度補正方法において、
読み取って得られた前記画像情報の前記主走査方向に対する鮮鋭度と、前記画像情報の前記副走査方向に対する鮮鋭度とが略同一となるよう、前記主走査方向および前記副走査方向に対して夫々所望の鮮鋭度補正処理を行うことを特徴とする画像読取装置における鮮鋭度補正方法。
【請求項２】
請求項１記載の方法において、
前記鮮鋭度補正処理は、前記主走査方向および前記副走査方向に対して夫々設定した空間フィルタを用いた１次元フィルタリング処理であることを特徴とする画像読取装置における鮮鋭度補正方法。
【請求項３】
請求項１記載の方法において、
前記鮮鋭度補正処理は、前記主走査方向および前記副走査方向に対して設定した空間フィルタを用いた２次元フィルタリング処理であることを特徴とする画像読取装置における鮮鋭度補正方法。
【請求項４】
請求項２または３記載の方法において、
前記空間フィルタは、前記記録媒体に対する前記画像情報の記録条件または読取条件に従って選択されることを特徴とする画像読取装置における鮮鋭度補正方法。
【請求項５】
主走査方向に複数の光電変換部が配列されてなるセンサを、記録媒体に対して前記主走査方向と略直交する副走査方向に相対的に移動させ、前記記録媒体に記録された画像情報を前記光電変換部により２次元的に読み取る画像読取装置における鮮鋭度補正装置において、
読み取って得られた前記画像情報の前記主走査方向に対する鮮鋭度と、前記画像情報の前記副走査方向に対する鮮鋭度とが略同一となるよう、前記主走査方向および前記副走査方向に対して夫々所望の鮮鋭度補正処理を行う空間フィルタを記憶する空間フィルタ記憶部と、
前記記録媒体に対する前記画像情報の記録条件または読取条件に従い、前記空間フィルタ記憶部から前記空間フィルタを選択する空間フィルタ選択部と、
選択された前記空間フィルタにより前記画像情報に対する鮮鋭度補正処理を行う鮮鋭度補正部と、
を備えることを特徴とする画像読取装置における鮮鋭度補正装置。
【発明の詳細な説明】
【０００１】
【発明の属する技術分野】
本発明は、主走査方向に複数の光電変換部が配列されてなるセンサを、記録媒体に対して前記主走査方向と略直交する副走査方向に相対的に移動させ、前記記録媒体に記録された画像情報を前記センサにより２次元的に読み取る画像読取装置における鮮鋭度補正方法および装置に関する。
【０００２】
【従来の技術】
例えば、放射線（Ｘ線、α線、β線、γ線、電子線、紫外線等）を照射すると、この放射線エネルギの一部が蓄積され、その後、可視光等の励起光を照射すると蓄積されたエネルギ強度に応じて輝尽発光を示す蓄積性蛍光体（輝尽性蛍光体）を利用して、人体等の被写体の放射線画像情報をシート状の蓄積性蛍光体層を備えてなる蓄積性蛍光体シートに一旦記録した後、この蓄積性蛍光体シートにレーザ光等の励起光を照射して得られる輝尽発光光を光電変換器を用いて電気信号に変換し、得られた画像信号を写真感光材料等の記録媒体、あるいは、ＣＲＴ（Ｃａｔｈｏｄｅ　Ｒａｙ　Ｔｕｂｅ）等の表示装置に被写体の放射線可視画像として出力させる放射線画像情報記録読取システムが知られている（特許文献１参照）。
【０００３】
この場合、副走査搬送される蓄積性蛍光体シートに対して励起光を主走査方向に移動させながら照射し、得られる輝尽発光光を集光ガイドを介してフォトマルチプライア等からなる単一の光電変換器に集光させ、励起光の走査位置に同期させて読み取る、いわゆる、ポイントスキャン方式のシステムにおいては、蓄積性蛍光体シートから光電変換器に至る光学系の読取条件が主走査方向および副走査方向で略同じである。従って、輝尽発光光が蓄積性蛍光体シートから主走査方向および副走査方向に等方的に出力されるものとすると、光電変換して得られた画像信号の主走査方向および副走査方向に対する空間周波数特性が略等しく、鮮鋭度も主走査方向および副走査方向で略同じになる。
【０００４】
これに対して、主走査方向に複数の光電変換部を配列してなるセンサを副走査方向に移動させながら蓄積性蛍光体シートの放射線画像情報を読み取る、いわゆる、ラインスキャン方式のシステムでは、主走査方向と副走査方向とで読取条件が異なるため、光電変換して得られた画像信号の主走査方向および副走査方向に対する空間周波数特性は等しくならない。この場合、主走査方向に対する画像信号の空間周波数特性は、センサに輝尽発光光を導く集光光学系の主走査方向の結像特性と、センサを構成する各光電変換部の主走査方向の間隔とに依存する。また、副走査方向に対する画像信号の空間周波数特性は、前記集光光学系の副走査方向の結像特性と、前記光電変換部の副走査方向の読取間隔とに依存する。
【０００５】
例えば、集光光学系が主走査方向に多数のレンズを配列してなるセルフォックレンズ等のレンズアレイからなる場合、各光電変換部により得られた画像信号のレンズアレイに対する主走査方向の位置関係と、各光電変換部により得られた画像信号のレンズアレイに対する副走査方向の位置関係とが異なるため、画像信号の空間周波数が主走査方向と副走査方向とで一致しなくなってしまう。従って、このような画像信号から得られる画像は、主走査方向と副走査方向とで鮮鋭度に差異のある不適切なものとなってしまう。
【０００６】
【特許文献１】
特開昭５５−１２４２９号公報
【０００７】
【発明が解決しようとする課題】
本発明は、前記の不具合を解消するためになされたもので、主走査方向および副走査方向に対して略同一の鮮鋭度を有する良好な画像情報を得ることのできる画像読取装置における鮮鋭度補正方法および装置を提供することを目的とする。
【０００８】
【課題を解決するための手段】
前記の課題を解決するために、本発明では、主走査方向に複数の光電変換部が配列されてなるセンサを、記録媒体に対して前記主走査方向と略直交する副走査方向に相対的に移動させ、前記記録媒体に記録された画像情報を前記光電変換部により２次元的に読み取る画像読取装置における鮮鋭度補正方法および装置において、読み取って得られた前記画像情報の前記主走査方向に対する鮮鋭度と、前記画像情報の前記副走査方向に対する鮮鋭度とが略同一となるよう、前記主走査方向および前記副走査方向に対して夫々所望の鮮鋭度補正処理を行うことを特徴とする。
【０００９】
この場合、鮮鋭度補正処理は、例えば、空間周波数特性に影響する記録媒体に対する画像情報の記録条件または読取条件に従い、主走査方向および副走査方向に対して夫々設定した１次元の空間フィルタを選択し、夫々に対して１次元フィルタリング処理を行うことにより、等方的な鮮鋭度からなる画像情報を得ることができる。また、主走査方向に対する空間フィルタと副走査方向に対する空間フィルタとを合成してなる２次元の空間フィルタを選択し、あるいは、予め設定されている２次元のフィルタを選択し、画像情報に対する２次元フィルタリング処理を行うようにしてもよい。
【００１０】
【発明の実施の形態】
図１は、本発明の画像読取装置における鮮鋭度補正方法および装置が適用される放射線画像情報記録読取装置１０の概略構成を示す。
【００１１】
放射線画像情報記録読取装置１０は、人体等の被写体１８の放射線画像を蓄積性蛍光体シートＩＰ（記録媒体）に一旦記録する放射線記録部１２と、前記蓄積性蛍光体シートＩＰに励起光Ｌを照射し、放射線の強度に応じて発光する輝尽発光光Ｒを光電的に読み取る読取部１４と、蓄積性蛍光体シートＩＰに残存している放射線エネルギを放出させる消去光源部１６とを備える。
【００１２】
放射線記録部１２は、放射線Ｓを発生させる放射線源２０と、被写体１８を所定位置に保持する放射線透過性の撮影台２２とを備える。撮影台２２の後方には、フォトタイマ２３と、散乱線除去用のグリッド２４とが配置され、前記グリッド２４のさらに後方には、蓄積性蛍光体シートＩＰが所定の撮影位置に固定される。
【００１３】
読取部１４は、鉛直方向（矢印Ｙ方向）に延在するガイドレール６６に沿って移動可能に構成される。読取部１４を構成する筐体４２は、ガイドレール６６に係合しており、上下両端部に配設される駆動プーリ５８および従動プーリ６０に架け渡されたベルト６４によって副走査方向（矢印Ｙ方向）に移動する。
【００１４】
読取部１４を構成する筐体４２の上部には、励起光Ｌを出力するレーザダイオードアレイ３６が配設される。レーザダイオードアレイ３６から出力された励起光Ｌは、筐体４２に固定されたミラー３７によって反射され、蓄積性蛍光体シートＩＰの主走査方向（矢印Ｙ方向と直交する方向）に照射される。
【００１５】
また、読取部１４を構成する筐体４２の下部には、励起光Ｌによって蓄積性蛍光体シートＩＰから取り出された輝尽発光光Ｒを集光レンズアレイ４４およびプリズム４６を介して受光し、電気信号に変換するＣＣＤ等のラインセンサ４８ａ〜４８ｃが配設される。集光レンズアレイ４４は、例えば、主走査方向に多数のレンズを配列してなるセルフォックレンズによって構成することができる。プリズム４６は、筐体４２の側部に配設されるラインセンサ４８ａ、４８ｃと、筐体４２の下部に配設されるラインセンサ４８ｂとに輝尽発光光Ｒを振り分ける。千鳥状に配設された各ラインセンサ４８ａ〜４８ｃは、夫々多数の光電変換部を主走査方向に配列して構成される。
【００１６】
なお、ラインセンサ４８ａ〜４８ｃは、主走査方向（矢印Ｘ方向）に複数の光電変換部を配列したものであれば、副走査方向（矢印Ｙ方向）に複数ラインを有するセンサや、主走査方向に長尺なエリアセンサを用いることもできる。また、ラインセンサ４８ａ〜４８ｃは、必ずしも３本で構成する必要はない。ラインセンサ４８ａ〜４８ｃには、蓄積性蛍光体シートＩＰから発せられる輝尽発光光Ｒを透過する一方、励起光Ｌを含む外光を遮断する図示しないフィルタが装着される。
【００１７】
消去光源部１６は、読取部１４を挟んで蓄積性蛍光体シートＩＰに対向して配設される。消去光源部１６は、蓄積性蛍光体シートＩＰに消去光Ｑを照射し、蓄積性蛍光体シートＩＰに残存する放射線エネルギを放出させる複数の蛍光灯６８を備える。
【００１８】
図２は、放射線画像情報記録読取装置１０の読取部１４における処理回路ブロックを示す。
【００１９】
読取部１４の処理回路は、ラインセンサ４８ａ〜４８ｃによって光電変換して得られた電気信号を増幅する増幅器７０と、増幅された電気信号をデジタル信号としての画像信号に変換するＡ／Ｄ（Ａｎａｌｏｇ／Ｄｉｇｉｔａｌ）変換器７２と、ラインセンサ４８ａ〜４８ｃのオフセット補正を行うオフセット補正部７４と、ラインセンサ４８ａ〜４８ｃによって光電変換された電気信号の非線形性を補正して線形信号に変換する線形変換部７６と、ラインセンサ４８ａ〜４８ｃの接続部分における信号調整を行うつなぎ処理部７８と、画像信号を対数変換する対数変換部８０と、対数変換された画像信号のシェーディング補正を行うシェーディング補正部８２と、シェーディング補正された画像信号の主走査方向および副走査方向の鮮鋭度を補正する鮮鋭度補正部８６とを備える。
【００２０】
Ａ／Ｄ変換器７２には、オフセット補正部７４に供給するオフセット補正データを演算するオフセット補正データ演算部８８が接続される。オフセット補正データ演算部８８によって演算されたオフセット補正データは、オフセット補正データ記憶部９０に記憶される。この場合、オフセット補正データとは、光を受光しない状態での各ラインセンサ４８ａ〜４８ｃの光電変換部からの出力（暗時出力）を補正する補正データである。
【００２１】
対数変換部８０には、シェーディング補正部８２に供給するシェーディング補正データを演算するシェーディング補正データ演算部９２が接続される。シェーディング補正データ演算部９２によって演算されたシェーディング補正データは、シェーディング補正データ記憶部９４に記憶される。この場合、シェーディング補正データとは、例えば、主走査方向に配列されたレーザダイオードアレイ３６、集光レンズアレイ４４、ラインセンサ４８ａ〜４８ｃを構成する光電変換部の１次元方向（主走査方向）の特性ばらつきを補正する高周波成分を含む補正データや、放射線源２０から出力される放射線Ｓの照射むら、蓄積性蛍光体シートＩＰの蓄積性蛍光体の塗布むら、グリッド２４の散乱線除去特性のむら等を補正する低周波成分を主体とした補正データである。
【００２２】
鮮鋭度補正部８６には、鮮鋭度補正処理を行うための複数種類の空間フィルタを構成するフィルタリング係数を記憶する空間フィルタ記憶部９６が空間フィルタ選択部９８を介して接続される。この空間フィルタ記憶部９６に記憶された空間フィルタは、蓄積性蛍光体シートＩＰに対する放射線画像情報の記録条件、あるいは、蓄積性蛍光体シートＩＰに記録された放射線画像情報の読取条件に従い、空間フィルタ選択部９８によって選択される。この場合、記録条件とは、例えば、放射線画像情報記録読取装置１０による被写体１８に対する撮影メニューによって決定される撮影部位、放射線量、放射線画像情報の記録される蓄積性蛍光体シートＩＰの種類等であり、読取条件とは、例えば、蓄積性蛍光体シートＩＰに記録された放射線画像情報の読取モードによって決定される読取速度等である。
【００２３】
本実施形態の放射線画像情報記録読取装置１０は、基本的には以上のように構成されるものであり、次に、その動作並びに作用効果について説明する。
【００２４】
先ず、図３に示すフローチャートに基づき、放射線画像情報記録読取装置１０におけるオフセット補正データおよびシェーディング補正データの作成方法について説明する。なお、以下の説明では、図４に示すように、ラインセンサ４８ａ〜４８ｃの各光電変換部により蓄積性蛍光体シートＩＰを主走査方向（矢印Ｘ方向）にｎ画素に分割するとともに、副走査方向（矢印Ｙ方向）にｍ画素に分割し、矢印Ｘ方向および矢印Ｙ方向を座標軸とした各画素の座標を（ｘ，ｙ）で表すものとする。
【００２５】
読取部１４のレーザダイオードアレイ３６および消去光源部１６の蛍光灯６８を消灯状態とし、この状態でのラインセンサ４８ａ〜４８ｃからの電気信号を増幅器７０およびＡ／Ｄ変換器７２を介して検出する。オフセット補正データ演算部８８は、検出された電気信号を各ラインセンサ４８ａ〜４８ｃにおける各光電変換部のオフセット補正データＯ（ｘ）とし、オフセット補正データ記憶部９０に記憶させる（ステップＳ１）。
【００２６】
次に、被写体１８を介在させることなく、放射線源２０から出力される放射線Ｓをフォトタイマ２３およびグリッド２４を介して蓄積性蛍光体シートＩＰに一様に照射する。読取部１４は、このようにして一様露光された蓄積性蛍光体シートＩＰの読み取りを行う（ステップＳ２）。この場合、一様露光された蓄積性蛍光体シートＩＰに記録された画像情報には、放射線Ｓの照射むらや蓄積性蛍光体シートＩＰにおける蓄積性蛍光体の塗布むらに基づく変化の小さい低周波成分からなるむらが含まれている。
【００２７】
レーザダイオードアレイ３６から出力された励起光Ｌは、ミラー３７によって反射された後、蓄積性蛍光体シートＩＰの主走査方向に照射される。蓄積性蛍光体シートＩＰに蓄積された放射線エネルギは、輝尽発光光Ｒとして出力され、集光レンズアレイ４４およびプリズム４６を介してラインセンサ４８ａ〜４８ｃに導入される。ラインセンサ４８ａ〜４８ｃは、輝尽発光光Ｒを電気信号に変換する。この電気信号は、増幅器７０によって増幅された後、Ａ／Ｄ変換器７２によってデジタル信号としての補正データ取得画像データＤｏｒｇ（ｘ，ｙ）に変換される。なお、補正データ取得画像データＤｏｒｇ（ｘ，ｙ）には、レーザダイオードアレイ３６、集光レンズアレイ４４、ラインセンサ４８ａ〜４８ｃを構成する光電変換部の個々の特性ばらつきに起因するランダムな高周波成分からなるむらが含まれている。
【００２８】
そこで、オフセット補正部７４は、ステップＳ１で作成されたオフセット補正データＯ（ｘ）をオフセット補正データ記憶部９０から読み込み、
Ｄｏｆｆ（ｘ，ｙ）＝Ｄｏｒｇ（ｘ，ｙ）−Ｏ（ｘ）
として補正データ取得画像データＤｏｒｇ（ｘ，ｙ）のオフセット補正を行い、オフセット補正画像データＤｏｆｆ（ｘ，ｙ）を作成する（ステップＳ３）。
【００２９】
オフセット補正画像データＤｏｆｆ（ｘ，ｙ）は、次に、線形変換部７６において線形変換された後（ステップＳ４）、つなぎ処理部７８において各ラインセンサ４８ａ〜４８ｃ間のつなぎ処理が行われる（ステップＳ５）。つなぎ処理されたオフセット補正画像データＤｏｆｆ（ｘ，ｙ）は、対数変換部８０において、加算演算処理が可能な対数変換データに変換される（ステップＳ６）。
【００３０】
シェーディング補正データ演算部９２は、対数変換されたオフセット補正画像データＤｌｏｇ（ｘ，ｙ）＝Ｌｏｇ（Ｄｏｆｆ（ｘ，ｙ））を各光電変換部毎に矢印Ｙ方向に加算平均し、平均オフセット補正画像データＤｓ（ｘ）を、
Ｄｓ（ｘ）＝１／ｍ・ΣＤｌｏｇ（ｘ，ｙ）
として求める（ステップＳ７）。上式のΣは、オフセット補正画像データＤｌｏｇ（ｘ，ｙ）を矢印Ｙ方向にｍ画素分加算することを意味するものとする。
【００３１】
次に、平均オフセット補正画像データＤｓ（ｘ）を矢印Ｘ方向に加算平均し、平均値Ｄｓ＿ａｖｅを、
Ｄｓ＿ａｖｅ＝１／ｎ・ΣＤｓ（ｘ）
として求める（ステップＳ８）。上式のΣは、平均オフセット補正画像データＤｓ（ｘ）を矢印Ｘ方向にｎ画素分加算することを意味するものとする。
【００３２】
最後に、平均値Ｄｓ＿ａｖｅと平均オフセット補正画像データＤｓ（ｘ）とから、１次元補正データＳ１（ｘ）を、
Ｓ１（ｘ）＝Ｄｓ＿ａｖｅ−Ｄｓ（ｘ）
として求める（ステップＳ９）。このようにして求められた１次元補正データＳ１（ｘ）を用いることにより、レーザダイオードアレイ３６、集光レンズアレイ４４、ラインセンサ４８ａ〜４８ｃを構成する各光電変換部の個々の特性ばらつきに起因するランダムな高周波成分からなるシェーディングを補正することができる。算出された１次元補正データＳ１（ｘ）は、シェーディング補正データ記憶部９４に記憶される。
【００３３】
次に、１次元補正データＳ１（ｘ）を用いて対数変換されたオフセット補正画像データＤｌｏｇ（ｘ，ｙ）の１次元補正を行い、１次元補正画像データＤ１（ｘ，ｙ）を、
Ｄ１（ｘ，ｙ）＝Ｄｌｏｇ（ｘ，ｙ）＋Ｓ１（ｘ）
として求める（ステップＳ１０）。
【００３４】
さらに、１次元補正画像データＤ１（ｘ，ｙ）に対してアンシャープマスキング処理を施し（ステップＳ１１）、低周波補正画像データＤｌｏｗ（ｘ，ｙ）を求める。この低周波補正画像データＤｌｏｗ（ｘ，ｙ）は、例えば、注目する１次元補正画像データＤ１（ｘ，ｙ）の周囲の複数の１次元補正画像データＤ１（ｘ，ｙ）を加算平均することで得ることができる。すなわち、矢印Ｘ方向の処理範囲の画素数をｊ、矢印Ｙ方向の処理範囲の画素数をｋとして、低周波補正画像データＤｌｏｗ（ｘ，ｙ）は、
Ｄｌｏｗ（ｘ，ｙ）＝１／（ｊ・ｋ）・ΣΣＤ１（ｘ，ｙ）
として求めることができる。上式のΣは、夫々１次元補正画像データＤ１（ｘ，ｙ）を矢印Ｘ方向にｊ画素分、矢印Ｙ方向にｋ画素分加算することを意味するものとする。このようにして１次元補正画像データＤ１（ｘ，ｙ）を平滑化することにより、高周波成分からなるノイズの影響を小さくすることができる。
【００３５】
次いで、低周波補正画像データＤｌｏｗ（ｘ，ｙ）を矢印Ｘ方向および矢印Ｙ方向に加算平均し、平均値Ｄａｖｅを、
Ｄａｖｅ＝１／（ｎ・ｍ）・ΣΣＤｌｏｗ（ｘ，ｙ）
として求める（ステップＳ１２）。上式のΣΣは、夫々低周波補正画像データＤｌｏｗ（ｘ，ｙ）を矢印Ｘ方向にｎ画素分、矢印Ｙ方向にｍ画素分加算することを意味するものとする。
【００３６】
平均値Ｄａｖｅと低周波補正画像データＤｌｏｗ（ｘ，ｙ）とから、平滑化された２次元補正データＳ２（ｘ，ｙ）を、
Ｓ２（ｘ，ｙ）＝Ｄａｖｅ−Ｄｌｏｗ（ｘ，ｙ）
として求める（ステップＳ１３）。このようにして求められた２次元補正データＳ２（ｘ，ｙ）を用いることにより、放射線Ｓの照射むらや蓄積性蛍光体シートＩＰにおける蓄積性蛍光体の塗布むらに基づく変化の小さい低周波成分からなるシェーディングを補正することができる。
【００３７】
平滑化された２次元補正データＳ２（ｘ，ｙ）は、低周波成分からなるむらを補正するものであって、高周波成分を含んでいないため、隣接する２次元補正データＳ２（ｘ，ｙ）間で大きく変動することはない。そこで、２次元補正データＳ２（ｘ，ｙ）を間引き処理することにより、データ数の少ない２次元補正データＳ２（ｘ，ｙ）とし（ステップＳ１４）、１次元補正データＳ１（ｘ）とともにシェーディング補正データ記憶部９４に記憶する。
【００３８】
次に、図５に示すフローチャートに基づき、放射線画像情報記録読取装置１０における放射線画像情報の読取処理について説明する。
【００３９】
撮影部位、撮影管電圧、撮影線量等を所定の撮影メニューに従って設定し、被写体１８を放射線画像情報記録読取装置１０における放射線記録部１２の所定位置に位置決めした後、放射線源２０を駆動して放射線Ｓを被写体１８に照射する。被写体１８を透過した放射線Ｓは、フォトタイマ２３およびグリッド２４を介して蓄積性蛍光体シートＩＰに到達し、被写体１８の放射線画像情報が記録される（ステップＳ２１）。
【００４０】
次に、蓄積性蛍光体シートＩＰに対する放射線画像情報の読み取りに先立ち、上述したステップＳ１の場合と同様にして、オフセット補正データＯ（ｘ）の作成を行う（ステップＳ２２）。すなわち、オフセット補正データＯ（ｘ）は、放射線画像情報記録読取装置１０の温度等に依存して変動するものであるため、一定時間周期あるいは各読取動作の直前に行うことが望ましい。作成されたオフセット補正データＯ（ｘ）は、オフセット補正データ記憶部９０に記憶される。
【００４１】
次に、低速走査による高画質モード、高速走査による高速読取モード等の読取モードを設定し、その読取モードに従って読取部１４が駆動され、蓄積性蛍光体シートＩＰに記録された放射線画像情報の読み取りが行われる（ステップＳ２３）。蓄積性蛍光体シートＩＰから読み取られた放射線画像情報に係る画像データＤｏｒｇ（ｘ，ｙ）は、オフセット補正部７４において、オフセット補正データ記憶部９０から取得したオフセット補正データＯ（ｘ）を用いてオフセット補正処理が行われ、オフセット補正画像データＤｏｆｆ（ｘ，ｙ）が、
Ｄｏｆｆ（ｘ，ｙ）＝Ｄｏｒｇ（ｘ，ｙ）−Ｏ（ｘ）
として求められる（ステップＳ２４）。
【００４２】
オフセット補正画像データＤｏｆｆ（ｘ，ｙ）は、線形変換部７６で線形変換された後（ステップＳ２５）、つなぎ処理部７８でラインセンサ４８ａ〜４８ｃ間のつなぎ処理が施され（ステップＳ２６）、さらに、対数変換部８０で対数変換され（ステップＳ２７）、
Ｄｌｏｇ（ｘ，ｙ）＝Ｌｏｇ（Ｄｏｆｆ（ｘ，ｙ））
としてオフセット補正画像データＤｌｏｇ（ｘ，ｙ）が得られる。
【００４３】
対数変換されたオフセット補正画像データＤｌｏｇ（ｘ，ｙ）は、シェーディング補正部８２において、シェーディング補正データ記憶部９４に記憶されている１次元補正データＳ１（ｘ）を用いて、
Ｄ１（ｘ，ｙ）＝Ｄｌｏｇ（ｘ，ｙ）＋Ｓ１（ｘ）
として１次元補正され、１次元補正画像データＤ１（ｘ，ｙ）が得られる（ステップＳ２８）。
【００４４】
次いで、シェーディング補正データ記憶部９４に記憶されている２次元補正データＳ２（ｘ，ｙ）を用いて、１次元補正画像データＤ１（ｘ，ｙ）が、
Ｄ２（ｘ，ｙ）＝Ｄ１（ｘ，ｙ）＋Ｓ２（ｘ，ｙ）
として補正され、２次元補正された補正画像データＤ２（ｘ，ｙ）が得られる（ステップＳ２９）。なお、シェーディング補正データ記憶部９４には、データ量を少なくするため、ステップＳ１４の処理で間引かれた２次元補正データＳ２（ｘ，ｙ）が記憶されているため、補正画像データＤ２（ｘ，ｙ）の算出に当たっては、補間した２次元補正データＳ２（ｘ，ｙ）を用いて補正画像データＤ２（ｘ，ｙ）の算出を行う。
【００４５】
１次元補正および２次元補正された補正画像データＤ２（ｘ，ｙ）は、鮮鋭度補正部８６において、主走査方向に対する鮮鋭度補正処理が施され（ステップＳ３０）、次いで、副走査方向に対する鮮鋭度補正処理が施される（ステップＳ３１）。
【００４６】
ここで、例えば、被写体１８に照射される放射線量は、撮影メニューに従い放射線源２０の撮影管電圧を撮影部位によって制御することで調整される。また、被写体１８に照射される放射線量が同じであっても、蓄積性蛍光体シートＩＰに到達する放射線量は、撮影部位によって異なる。一方、蓄積性蛍光体シートＩＰの種類によって、放出される輝尽発光光Ｒの広がり特性が異なる。さらに、高速走査するか、低速走査するかといった読取モードの違いにより蓄積性蛍光体シートＩＰに照射される励起光Ｌのエネルギが異なるため、その励起光Ｌによって放出される輝尽発光光Ｒの広がり特性も異なってくる。この場合、蓄積性蛍光体シートＩＰから得られる放射線画像情報の空間周波数特性は、蓄積性蛍光体シートＩＰに照射される放射線量に応じて蓄積された放射線エネルギやその放出特性に依存する。
【００４７】
一方、放射線画像情報の空間周波数特性は、ラインセンサ４８ａ〜４８ｃに輝尽発光光Ｒを導く集光レンズアレイ４４およびプリズム４６の主走査方向および副走査方向の特性に依存するとともに、ラインセンサ４８ａ〜４８ｃを構成する各光電変換部の主走査方向の間隔および副走査方向の読取間隔に依存する。
【００４８】
従って、鮮鋭度補正前の放射線画像情報である補正画像データＤ２（ｘ，ｙ）の主走査方向および副走査方向に対する鮮鋭度およびそのバランスは、撮影メニュー、蓄積性蛍光体シートＩＰの種類、読取モード等によって異なることになる。
【００４９】
そこで、空間フィルタ選択部９８は、オペレータによって設定された撮影メニュー、蓄積性蛍光体シートＩＰの種類、読取モード等の記録条件または読取条件に従い、鮮鋭度およびそのバランスに対応した空間フィルタを空間フィルタ記憶部９６から選択し、鮮鋭度補正部８６に供給する。鮮鋭度補正部８６は、供給された空間フィルタを用いて、補正画像データＤ２（ｘ，ｙ）に対する鮮鋭度補正処理を行う。
【００５０】
すなわち、主走査方向の鮮鋭度を補正する空間フィルタを構成するフィルタリング係数をｆ（ａ）とすると、補正画像データＤ２（ｘ，ｙ）は、
Ｄｘ（ｘ，ｙ）＝１／Ｎ・Σｆ（ａ）・Ｄ２（ｘ＋ａ，ｙ）
として、主走査方向に補正された画像データＤｘ（ｘ，ｙ）が求められる（ステップＳ３０）。ａは、フィルタリング処理を行うために利用される画素範囲を表す整数であり、Σは、画素範囲ａでの加算処理を表す。また、Ｎ＝Σｆ（ａ）である。
【００５１】
図６は、フィルタリング係数ｆ（ａ）を、
ｆ（ａ）＝（−２　３　１０　３　−２）
としたときの主走査方向に対する空間周波数（サイクル／ｍｍ）とレスポンスとの関係を表したものである。このフィルタリング係数ｆ（ａ）を用いた場合、鮮鋭度補正前の補正画像データＤ２（ｘ，ｙ）の鮮鋭度を主走査方向に強める効果が得られる。
【００５２】
また、鮮鋭度補正部８６は、空間フィルタ記憶部９６から選択した副走査方向の鮮鋭度を補正する空間フィルタを構成するフィルタリング係数をｇ（ｂ）として、主走査方向の鮮鋭度が補正された画像データＤｘ（ｘ，ｙ）を、
Ｄｙ（ｘ，ｙ）＝１／Ｍ・Σｇ（ｂ）・Ｄｘ（ｘ，ｙ＋ｂ）
として補正することにより、副走査方向に補正された画像データＤｙ（ｘ，ｙ）を求める（ステップＳ３１）。ｂは、フィルタリング処理を行うために利用される画素範囲を表す整数であり、Σは、画素範囲ｂでの加算処理を表す。また、Ｍ＝Σｇ（ｂ）である。
【００５３】
図７は、フィルタリング係数ｇ（ｂ）を、
【００５４】
【数１】
2004007458.tif 000003
【００５５】
としたときの主走査方向に対する空間周波数（サイクル／ｍｍ）とレスポンスとの関係を表したものである。このフィルタリング係数ｇ（ｂ）を用いた場合、画像データＤｘ（ｘ，ｙ）の鮮鋭度を副走査方向に弱める効果が得られる。
【００５６】
以上のようにして、適切なフィルタリング係数ｆ（ａ）、ｇ（ｂ）を有する空間フィルタを用いることにより、主走査方向および副走査方向に対して略同一の鮮鋭度補正処理が施された画像データＤｙ（ｘ，ｙ）を得ることができる。
【００５７】
次いで、画像データＤｙ（ｘ，ｙ）の規格化処理を行った後（ステップＳ３２）、階調補正、カラーコレクション等の画像処理が施される（ステップＳ３３）。この場合、主走査方向および副走査方向の鮮鋭度の差を考慮することなく、所望の画像処理を行うことができる。このようにして画像処理された放射線画像情報は、外部の診断装置等に提供される。なお、ステップＳ３３での画像処理は、放射線画像情報記録読取装置１０で行うのではなく、外部の画像処理装置で行うようにしてもよい。
【００５８】
一方、蓄積性蛍光体シートＩＰからの放射線画像情報の読取処理が終了すると、消去光源部１６が駆動され、蛍光灯６８から出力される消去光Ｑが蓄積性蛍光体シートＩＰの全面に照射されることにより、残存する放射線エネルギが除去され、次の撮影に供される。
【００５９】
ここで、上述した実施形態では、主走査方向に対して鮮鋭度を強める１次元フィルタリング処理を行うとともに、副走査方向に対して鮮鋭度を弱める１次元フィルタリング処理を行っているが、主走査方向または副走査方向の一方の鮮鋭度を基準として固定しておき、他方の鮮鋭度のみを一方の鮮鋭度に合わせるように調整するようにしてもよい。
【００６０】
また、主走査方向のフィルタリング係数ｆ（ａ）と副走査方向のフィルタリング係数ｇ（ｂ）との内積であるフィルタリング係数ｆｇ（ａ，ｂ）を、例えば、
【００６１】
【数２】
2004007458.tif 000004
【００６２】
として求め、このフィルタリング係数ｆｇ（ａ，ｂ）を用いて、画像データＤ（ｘ，ｙ）を、
Ｄ（ｘ，ｙ）＝１／Ｐ・ΣΣｆｇ（ａ，ｂ）・Ｄ２（ｘ＋ａ，ｙ＋ｂ）
として２次元フィルタリング処理することにより、主走査方向および副走査方向の鮮鋭度補正処理を同時に行うこともできる。ΣΣは、主走査方向および副走査方向のフィルタリング処理の画素範囲ａ、ｂでの加算処理を表す。また、Ｐ＝ΣΣｆｇ（ａ，ｂ）である。
【００６３】
なお、上述した実施形態における放射線画像情報記録読取装置１０では、ラインセンサ４８ａ〜４８ｃを蓄積性蛍光体シートＩＰに対して副走査方向に移動させて放射線画像情報を読み取るようにしているが、固定されたラインセンサ４８ａ〜４８ｃに対して蓄積性蛍光体シートＩＰを副走査方向に移動させるように構成した放射線画像情報記録読取装置に適用することもできる。
【００６４】
【発明の効果】
以上のように、本発明によれば、主走査方向に複数の光電変換部が配列されてなるセンサを用いて読み取られた画像情報から、主走査方向および副走査方向の夫々に対して所望の鮮鋭度補正処理を行うことができ、これによって、主走査方向および副走査方向に略同一の鮮鋭度を有する良好な画像情報を得ることができる。
【図面の簡単な説明】
【図１】本実施形態の放射線画像情報記録読取装置の概略構成図である。
【図２】本実施形態の放射線画像情報記録読取装置の読取部における処理回路ブロック図である。
【図３】本実施形態の放射線画像情報記録読取装置の補正データの作成手順を示すフローチャートである。
【図４】蓄積性蛍光体シートに設定した座標系の説明図である。
【図５】放射線画像情報のシェーディング補正処理および鮮鋭度補正処理のフローチャートである。
【図６】鮮鋭度を強めることのできるフィルタにおける空間周波数とレスポンスとの関係説明図である。
【図７】鮮鋭度を弱めることのできるフィルタにおける空間周波数とレスポンスとの関係説明図である。
【符号の説明】
１０…放射線画像情報記録読取装置　１２…放射線記録部
１４…読取部　　　　　　　　　　　１６…消去光源部
１８…被写体　　　　　　　　　　　２０…放射線源
４８ａ〜４８ｃ…ラインセンサ　　　７４…オフセット補正部
８２…シェーディング補正部　　　　８６…鮮鋭度補正部
８８…オフセット補正データ演算部　９０…オフセット補正データ記憶部
９２…シェーディング補正データ演算部
９４…シェーディング補正データ記憶部
９６…空間フィルタ記憶部　　　　　９８…空間フィルタ選択部
ＩＰ…蓄積性蛍光体シート
【図１】
2004007458.tif 000005
【図２】
2004007458.tif 000006
【図３】
2004007458.tif 000007
【図４】
2004007458.tif 000008
【図５】
2004007458.tif 000009
【図６】
2004007458.tif 000010
【図７】
2004007458.tif 000011